(57)【要約】      （修正有）【課題】アップロードされた撮影画像の中から集合写真の画像を検出する画像管理装置及び画像管理方法を提供する。【解決手段】画像管理装置１は、第１端末から画像を受信する受信部と、前記画像を記憶する記憶部と、前記画像から人物の顔を抽出する顔抽出部と、抽出された顔の数が所定値以上の画像を集合写真の画像と判定する判定部と、前記第１端末から受信した画像を用いた画像確認画面、及び集合写真と判定された画像を用いた集合写真確認画面を作成し、前記第１端末へ作成した確認画面を送信する画面送信部を備える。【選択図】図２
2020013267.tif 000002
【特許請求の範囲】
【請求項１】
第１端末から画像を受信する受信部と、
前記画像を記憶する記憶部と、
前記画像から人物の顔を抽出する顔抽出部と、
抽出された顔の数が所定値以上の画像を集合写真の画像と判定する判定部と、
前記第１端末から受信した画像を用いた画像確認画面、及び集合写真と判定された画像を用いた集合写真確認画面を作成し、前記第１端末へ作成した確認画面を送信する画面送信部と、
を備える画像管理装置。
【請求項２】
前記顔抽出部は、頭頂から顎の下まで写っている顔を抽出することを特徴とする請求項１に記載の画像管理装置。
【請求項３】
前記第１端末から、前記確認画面を介して、画像の販売可否の指示を受け付ける販売可否設定部と、
第２端末から販売可の画像のプリント注文を受け付ける注文処理部と、
をさらに備えることを特徴とする請求項１又は２に記載の画像管理装置。
【請求項４】
前記販売可否設定部は、前記記憶部に記憶されている画像のうち、前記第１端末から販売不可と指示された画像にフラグを立て、
前記注文処理部は、前記記憶部に記憶されている画像のうち前記フラグの立っていない画像を販売画像として前記第２端末に提示することを特徴とする請求項３に記載の画像管理装置。
【請求項５】
前記販売可否設定部は、前記記憶部に記憶されている画像のうち、前記第１端末から販売不可と指示された画像を消去することを特徴とする請求項３に記載の画像管理装置。
【請求項６】
第１端末から画像を受信する工程と、
前記画像から人物の顔を抽出する工程と、
抽出された顔の数が所定値以上の画像を集合写真の画像と判定する工程と、
前記第１端末から受信した画像を用いた画像確認画面、及び集合写真と判定された画像を用いた集合写真確認画面を作成し、前記第１端末へ作成した確認画面を送信する工程と、
前記第１端末から、前記確認画面を介して、画像の販売可否の指示を受け付ける工程と、
第２端末から販売可の画像のプリント注文を受け付ける工程と、
を備える画像管理方法。
【発明の詳細な説明】
【技術分野】
【０００１】
本発明は、画像管理装置及び画像管理方法に関する。
【背景技術】
【０００２】
幼稚園、保育園、小学校等での子供たちの日常の様子をプロカメラマンや先生が撮影し、写真をインターネット上で閲覧・販売する、いわゆるスクールフォトサービスが提供されている。
【０００３】
例えば、先生が子供たちを撮影し、写真販売システムのサーバに撮影画像をアップロードする。保護者は、専用ウェブサイトにログインし、アップロードされた撮影画像を閲覧し、自分の子供が写っている画像を選択して購入する。購入された画像は、サービス提供業者の工場で用紙にプリントされ、保護者の元に写真が配送される。
【０００４】
入園式や卒園式等のイベントでは、生徒や先生が集合・整列した集合写真を撮影する。集合写真は、式の最中の様子を撮影したスナップ写真とはプリントサイズや販売価格の設定が異なったり、イベント名の合成等の編集処理が施されたりするなど、スナップ写真とは取り扱いが異なることが多い。また、写り具合を事前に確認して、多くの生徒の表情がよく写っているものを販売することが好ましい。そのため、アップロードされた多数の撮影画像の中から、集合写真の画像を探し出す必要がある。
【先行技術文献】
【特許文献】
【０００５】
【特許文献１】特開２０１４−１０２７１５号公報
【発明の概要】
【発明が解決しようとする課題】
【０００６】
本発明は、アップロードされた撮影画像の中から集合写真の画像を検出する画像管理装置及び画像管理方法を提供することを課題とする。
【課題を解決するための手段】
【０００７】
本発明による画像管理装置は、第１端末から画像を受信する受信部と、前記画像を記憶する記憶部と、前記画像から人物の顔を抽出する顔抽出部と、抽出された顔の数が所定値以上の画像を集合写真の画像と判定する判定部と、前記第１端末から受信した画像を用いた画像確認画面、及び集合写真と判定された画像を用いた集合写真確認画面を作成し、前記第１端末へ作成した確認画面を送信する画面送信部と、を備えるものである。
【０００８】
本発明の一態様による画像管理装置において、前記顔抽出部は、頭頂から顎の下まで写っている顔を抽出する。
【０００９】
本発明の一態様による画像管理装置において、前記第１端末から、前記確認画面を介して、画像の販売可否の指示を受け付ける販売可否設定部と、第２端末から販売可の画像のプリント注文を受け付ける注文処理部と、をさらに備える。
【００１０】
本発明の一態様による画像管理装置において、前記販売可否設定部は、前記記憶部に記憶されている画像のうち、前記第１端末から販売不可と指示された画像にフラグを立て、前記注文処理部は、前記記憶部に記憶されている画像のうち前記フラグの立っていない画像を販売画像として前記第２端末に提示する。
【００１１】
本発明の一態様による画像管理装置において、前記販売可否設定部は、前記記憶部に記憶されている画像のうち、前記第１端末から販売不可と指示された画像を消去する。
【００１２】
本発明による画像管理方法は、第１端末から画像を受信する工程と、前記画像から人物の顔を抽出する工程と、抽出された顔の数が所定値以上の画像を集合写真の画像と判定する工程と、前記第１端末から受信した画像を用いた画像確認画面、及び集合写真と判定された画像を用いた集合写真確認画面を作成し、前記第１端末へ作成した確認画面を送信する工程と、前記第１端末から、前記確認画面を介して、画像の販売可否の指示を受け付ける工程と、第２端末から販売可の画像のプリント注文を受け付ける工程と、を備えるものである。
【発明の効果】
【００１３】
本発明によれば、アップロードされた撮影画像の中から集合写真の画像を検出する。
【図面の簡単な説明】
【００１４】
【図１】（ａ）（ｂ）は撮影風景を示す図であり、（ｃ）は写真販売システムの概略構成図である。
【図２】画像管理装置の機能ブロック図である。
【図３】アップロード画面の例を示す図である。
【図４】集合写真検出方法を説明するフローチャートである。
【図５】（ａ）（ｂ）は販売可否設定画面の例を示す図である。
【図６】（ａ）（ｂ）は集合写真確認画面の例を示す図である。
【発明を実施するための形態】
【００１５】
以下、本発明の実施の形態を図面に基づいて説明する。
【００１６】
図１（ａ）（ｂ）に示すように、本発明の実施形態に係る写真販売システムでは、幼稚園、保育園、小学校等で、先生が子供たちを撮影し、撮影した画像を画像管理装置１にアップロードする。撮影は、先生だけでなく、プロカメラマンが行ってもよい。例えば、日常生活、イベント中の様子や集合写真を撮影する。
【００１７】
撮影には、スマートフォンやタブレット端末等の携帯端末２や、デジタルカメラ３が使用される。携帯端末２で撮影を行った場合は、携帯端末２から画像管理装置１に撮影画像をアップロードできる。デジタルカメラ３で撮影を行った場合は、デジタルカメラ３からパーソナルコンピュータ４へ撮影画像を転送し、パーソナルコンピュータ４を用いて画像管理装置１に撮影画像をアップロードする。以下、画像管理装置１に画像をアップロードする携帯端末２又はパーソナルコンピュータ４を、端末２，４と記載する。
【００１８】
画像管理装置１は、端末２，４からアップロードされた画像を販売するためのウェブサイトを提供する。幼稚園、保育園、小学校等に通う子供たちの保護者は、スマートフォンやパーソナルコンピュータ等の顧客端末６を用いてウェブサイトにアクセスし、販売画像の一覧画面を閲覧する。顧客は、一覧画面から購入したい画像を選択し、自宅住所を入力し、クレジットカード決済等で料金を支払う。
【００１９】
画像管理装置１は、選択された画像のデータを工場５へ転送する。工場５に設置されたプリンタが、転送された画像を用紙に印刷して、プリント物（写真）７を作製する。プリント物７は、顧客の自宅へ配送される。
【００２０】
端末２，４からアップロードされた撮影画像のうち、集合写真は、なるべく多くの被写体の表情がよいものを販売対象とし、目を瞑っていたりよそ見をしていたりする被写体が多いものは販売対象から外せるようにすることが好ましい。集合写真の写り具合を確認するためには、アップロードされた多数の画像の中から、集合写真を見つけ出す必要がある。本実施形態に係る画像管理装置１は、アップロードされた画像から集合写真を速やかに検出するものである。
【００２１】
図２に示すように、画像管理装置１は、ＲＯＭ（Read  Only  Memory）、ＲＡＭ（Random  Access  Memory）、不揮発性メモリ、ハードディスク装置等を含む記憶部１０を有したコンピュータであり、記憶部１０には画像販売プログラム等が格納されている。
【００２２】
画像管理装置１のＣＰＵ（中央処理部）が画像販売プログラムを実行することで、図２に示すように、受信部１１、顔抽出部１２、比較部１３、判定部１４、画面送信部１５、販売可否設定部１６及び注文処理部１７の機能が実現される。
【００２３】
受信部１１は、端末２，４から、撮影画像のデータを受信し、記憶部１０に格納する。また、受信部１１は、画像データの受信時に、又は事前に、集合写真と判断する最低人数の情報を端末２，４から受信し、閾値情報として記憶部１０に格納する。
【００２４】
例えば、端末２，４には図３に示すようなアップロード画面が表示される。端末２，４を操作し、アップロードする画像を選択する。
【００２５】
顔抽出部１２、比較部１３及び判定部１４が、アップロードされた画像から集合写真の画像を検出する。集合写真検出方法を図４に示すフローチャートを用いて説明する。
【００２６】
顔抽出部１２が、撮影画像から人物の顔を抽出する（ステップＳ１）。集合写真では、被写体が正面を向いて整列しているため、顔抽出部１２は、頭頂から顎の下まで写っている（目、耳、鼻、口等の顔の全てのパーツが写っている）顔を抽出する。
【００２７】
比較部１３が、抽出された顔の数と、記憶部１０に格納されている閾値とを比較する。抽出された顔の数が閾値以上である場合（ステップＳ２＿Ｙｅｓ）、判定部１４は、この画像を集合写真と判定し、集合写真であることを示すフラグを付与する（ステップＳ３）。
【００２８】
抽出された顔の数が閾値未満である場合（ステップＳ２＿Ｎｏ）、判定部１４は、この画像を集合写真でないスナップ写真と判定する（ステップＳ４）。アップロードされた全ての画像に対し、これらの処理を行い、集合写真を検出する。
【００２９】
画面送信部１５は、アップロードされた画像の販売可否設定画面（画像確認画面）を作成して、端末２，４へ送信する。例えば、図５（ａ）に示すように、販売可否設定画面には、アップロードされた撮影画像の各々の表示領域の近傍にチェックボックスＣＢが設けられている。
【００３０】
販売可否設定画面のボタンＢ１が押されると、画面送信部１４は、判定部１４によりフラグが付与された画像のみを表示する画面を作成して、端末２，４へ送信する。これにより、図５（ｂ）に示すように、集合写真のみを表示する画面に切り替えることができる。この画面でボタンＢ３を押すと、図５（ａ）の画面に戻る。
【００３１】
撮影画像をアップロードした利用者（先生）は、販売可否設定画面で画像の写り具合を確認し、販売に適さない画像のチェックボックスＣＢにチェックを入れる。販売可否設定画面の画像を選択（クリック、タップ）することで、この画像が拡大表示されるようにしてもよい。
【００３２】
販売可否設定画面のボタンＢ２、Ｂ４が押されると、販売可否設定部１６は、端末２，４からチェックボックスＣＢにチェックが入れられた画像、すなわち販売不可とされた画像を特定する情報を受信する。販売可否設定部１６は、記憶部１０に格納されている撮影画像のうち、販売不可とされた画像に、販売不可を示すフラグを立てる。
【００３３】
画面送信部１５は、記憶部１０に格納されている撮影画像のうち、販売不可を示すフラグが立っていない画像（販売可能画像）を用いて販売画像の一覧を含む注文画面を作成し、顧客端末６へ送信する。
【００３４】
注文処理部１７は、顧客端末６から画像購入注文を受け付け、注文情報を記憶部１０に格納する。注文情報は、選択した画像を識別する情報、プリント枚数、顧客氏名、配送先住所等を含む。注文処理部１７は、必要に応じて決済処理を行う。注文処理部１７は、購入された画像を工場５へ送信する。
【００３５】
このように、本実施形態によれば、アップロードされた撮影画像の中から、集合写真の画像を速やかに検出できる。検出した集合写真を事前に確認し、多くの被写体が良い表情をしているものを販売対象に設定できる。また、イベント名の合成等の編集処理を施してもよい。
【００３６】
上記実施形態において、販売可否設定部１６は、販売不可とされた画像を記憶部１０から削除（消去）してもよい。
【００３７】
アップロードされた撮影画像のうち、集合写真のみを表示する画面において、画像から抽出された顔の数（画像に写っている人の数）に応じて、画像の表示サイズを変えてもよい。例えば、抽出された顔の数がＮ１以上の場合は、図６（ａ）に示すように、画面に２つの集合写真画像がそれぞれ大きく表示されるようにし、抽出された顔の数がＮ２以上Ｎ１未満の場合は、図６（ｂ）に示すように、画面に４つの集合写真画像がそれぞれやや小さく表示されるようにする。抽出された顔の数が多い程、表示サイズを大きくすることで、被写体の表情が確認しやすくなる。
【００３８】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００３９】
１  画像管理装置
２  携帯端末
３  デジタルカメラ
４  パーソナルコンピュータ
５  工場
６  顧客端末
７  プリント物
【図１】
2020013267.tif 000003
【図２】
2020013267.tif 000004
【図３】
2020013267.tif 000005
【図４】
2020013267.tif 000006
【図５】
2020013267.tif 000007
【図６】
2020013267.tif 000008